(57)【要約】      （修正有）【課題】ＴＤＤワイヤレス通信システムにおけるユーザ機器（ＵＥ）による、ＵＬ／ＤＬリソース区画化の動的再構成を可能にする。【解決手段】ＵＥは、セル特定ＴＤＤ  ＵＬ／ＤＬ構成を受信（４０１）すると、ＵＥが適応的ＴＤＤ能力を有することを、ＵＥが基地局に通知する（４０２）。ＵＥは、アサインされたＴＤＤ  ＵＬ／ＤＬ構成のための動的再構成命令を検出（４０３）し、ＵＥでのＴＤＤ  ＵＬ／ＤＬ構成の再構成が特定の将来の無線フレーム境界においてのみ起こるように制限する（４０４）。【選択図】図４
2019126078.tif 000002
【特許請求の範囲】
【請求項１】
方法であって、
時分割複信（ＴＤＤ）ワイヤレス通信システムにおけるユーザ機器（ＵＥ）で、複数の無線フレームのためのセル特定ＴＤＤアップリンク（ＵＬ）／ダウンリンク（ＤＬ）構成を受け取ること、
前記ＴＤＤワイヤレス通信システムにおける基地局に、前記ＵＥが適応的ＴＤＤ能力を有することを通知すること、
前記ユーザ機器で、アサインされるＴＤＤ  ＵＬ／ＤＬ構成のための動的再構成信号を検出すること、及び、
前記ＵＥで、シグナリングされたＴＤＤ  ＵＬ／ＤＬ構成のアクティベーションを、将来の無線フレーム境界においてのみ起こるように制限すること、
を含む、方法。
【請求項２】
請求項１に記載の方法であって、
前記動的再構成信号に対して１つ又は複数の指定されるサブフレームを監視することを更に含み、前記指定されたサブフレームが、前記ＴＤＤワイヤレス通信システムのためのすべての利用可能なＵＬ／ＤＬ構成に共通であるＤＬサブフレームに対応する、方法。
【請求項３】
請求項１に記載の方法であって、
サブフレームｎにおいて受け取られる動的再構成信号が、サブフレームｎ＋ｋにおいて新規のＴＤＤ  ＵＬ／ＤＬ構成を適用するための命令を含み、ここでｋが整数である、方法。
【請求項４】
請求項１に記載の方法であって、
変更通知ウィンドウの後、ＵＬ／ＤＬ再構成を適用することを更に含む、方法。
【請求項５】
請求項４に記載の方法であって、
現在の変更通知ウィンドウの間、前記動的再構成信号を検出すること、及び
次の変更通知ウィンドウ境界で、ＵＬ／ＤＬ再構成を適用すること、
を更に含む、方法。
【請求項６】
請求項１に記載の方法であって、
前記基地局からの物理ダウンリンク制御チャネル（ＰＤＣＣＨ）／拡張物理ダウンリンク制御チャネル（ＥＰＤＣＣＨ）で搬送されるダウンリンク制御情報（ＤＣＩ）フォーマットを監視すること、及び、
前記ＤＣＩの１ビットフィールドの設定に基づいて、前記ＤＣＩが物理ダウンリンク共有チャネル（ＰＤＳＣＨ）をスケジュールするか、又はＵＬ／ＤＬ再構成を示すかを判定すること、
を更に含む、方法。
【請求項７】
請求項６に記載の方法であって、
ＵＬ／ＤＬ再構成が示されるとき、前記ＤＣＩフォーマットが、新規のＵＬ／ＤＬ構成、サウンディング基準信号（ＳＲＳ）伝送への変更、及び前記新規のＵＬ／ＤＬ構成に従ったチャネル状態情報（ＣＳＩ）レポーティング構成を含む、方法。
【請求項８】
請求項１に記載の方法であって、前記動的再構成信号が、サウンディング基準信号（ＳＲＳ）デルタオフセットフィールドを含み、前記方法が、前記動的再構成命令でシグナリングされる新規のＴＤＤ  ＵＬ／ＤＬ構成において有効なＵＬサブフレームで前記ＳＲＳがサウンディングされるように、前記デルタオフセットフィールドに基づいてＳＲＳサブフレームオフセットを調節することを更に含む、方法。
【請求項９】
請求項８に記載の方法であって、
全ての利用可能なＵＬ／ＤＬ構成においてＤＬサブフレームとして固定される任意のサブフレームを無視することによって、前記ＳＲＳデルタオフセットフィールド値が選択される、方法。
【請求項１０】
請求項１に記載の方法であって、
サウンディング基準信号（ＳＲＳ）伝送が、前記動的再構成命令によってＤＬサブフレームとして再構成されたサブフレームで送信されるように構成されていることを判定すること、及び、
前記再構成されたＤＬサブフレームにおける前記ＳＲＳの前記伝送を防止すること、
を更に含む、方法。
【請求項１１】
請求項１に記載の方法であって、
後の無線フレームの指定されるサブフレームでのサウンディング基準信号（ＳＲＳ）伝送をスケジューリングする要求を含む物理ダウンリンク制御チャネル（ＰＤＣＣＨ）を検出すること、
前記後の無線フレームの前記指定されたサブフレームが、ＵＬ／ＤＬ再構成に起因してもはや有効なセル特定ＳＲＳサブフレームではないことを判定すること、及び、
前記後の無線フレームにおいて前記指定されたサブフレームに続く第１の有効なセル特定ＳＲＳサブフレームで、前記ＳＲＳを送信すること、
を更に含む、方法。
【請求項１２】
請求項１に記載の方法であって、
後の無線フレームの指定されるサブフレームで、サウンディング基準信号（ＳＲＳ）伝送をスケジューリングする要求を含む物理ダウンリンク制御チャネル（ＰＤＣＣＨ）を検出すること、
前記後の無線フレームの前記指定されたサブフレームが、ＵＬ／ＤＬ再構成に起因してもはや有効なセル特定ＳＲＳサブフレームではないことを判定すること、及び、
前記後の無線フレームにおいて前記指定されたサブフレームに続く第１の有効なＵＥ特定非周期的ＳＲＳサブフレームで、前記ＳＲＳを送信すること、
を更に含む、方法。
【請求項１３】
請求項１に記載の方法であって、
前記動的再構成命令がチャネル状態情報（ＣＳＩ）デルタオフセットフィールドを含む、方法。
【請求項１４】
請求項１に記載の方法であって、
現在アクティブで動的にシグナリングされたＵＬ／ＤＬ構成によってダウンリンクとして示されるサブフレームにおいて前記リソースが生じる場合にのみ、チャネル状態情報基準リソースが有効であることを判定することを更に含む、方法。
【請求項１５】
請求項１に記載の方法であって、
前記現在アクティブで動的にシグナリングされたＵＬ／ＤＬ構成によって特別なサブフレームとして示されるサブフレームにおいて前記リソースが生じる場合、及び、
前記特別なサブフレーム構成が、前記特別なサブフレームの前記ダウンリンク部分において少なくとも４個のＯＦＤＭシンボルを含む場合にのみ、
チャネル状態情報基準リソースが有効であることを判定すること、
を更に含む、方法。
【請求項１６】
請求項１に記載の方法であって、
チャネル状態情報（ＣＳＩ）伝送が、前記動的再構成命令によってＤＬサブフレームとして再構成されているサブフレームで送信するように構成されていることを判定すること、及び、
前記再構成されたＤＬサブフレームでの前記ＣＳＩの前記伝送を防止すること、
を更に含む、方法。
【請求項１７】
ユーザ機器デバイスであって、
プロセッサ回路を含み、
前記プロセッサ回路が、
無線フレーム内の複数のサブフレームのためのセル特定時分割複信（ＴＤＤ）アップリンク（ＵＬ）／ダウンリンク（ＤＬ）構成を受け取るように、
アサインされるＴＤＤ  ＵＬ／ＤＬ構成のための動的再構成信号を検出するように、及び、
ＴＤＤ  ＵＬ／ＤＬ構成の再構成が、将来の無線フレーム境界においてのみ起こるよう制限するように構成される、デバイス。
【請求項１８】
請求項１７に記載のデバイスであって、
前記プロセッサが、サブフレームｎで受け取られる動的再構成信号で受け取られる命令に続いて、サブフレームｎ＋ｋで新規のＴＤＤ  ＵＬ／ＤＬ構成を適用するように構成され、ここでｋが整数である、デバイス。
【請求項１９】
請求項１７に記載のデバイスであって、
前記プロセッサが、変更通知ウィンドウの後、ＵＬ／ＤＬ再構成を適用するように構成される、デバイス。
【請求項２０】
請求項１７に記載のデバイスであって、
前記プロセッサが、
基地局からのダウンリンク制御情報において受け取られる動的再構成信号に基づいて、そのＵＬ／ＤＬ構成を適応させる準備を行なうように、
前記基地局からの物理ダウンリンク制御チャネル（ＰＤＣＣＨ）／拡張物理ダウンリンク制御チャネル（ＥＰＤＣＣＨ）で搬送されるダウンリンク制御情報（ＤＣＩ）フォーマットを監視するように、及び、
前記ＤＣＩにおける１ビットフィールドの設定に基づいて、前記ＤＣＩが、物理ダウンリンク共有チャネル（ＰＤＳＣＨ）をスケジューリングするか又はＵＬ／ＤＬ再構成を示すかを判定するように、
構成され、
ＵＬ／ＤＬ再構成が示されるとき、前記ＤＣＩフォーマットが、新規のＵＬ／ＤＬ構成、サウンディング基準信号（ＳＲＳ）伝送への変更、及び、前記新規のＵＬ／ＤＬ構成に従ったチャネル状態情報（ＣＳＩ）レポーティング構成を含む、デバイス。
【請求項２１】
請求項１７に記載のデバイスであって、
前記動的再構成命令が、サウンディング基準信号（ＳＲＳ）デルタオフセットフィールド又はチャネル状態情報（ＣＳＩ）デルタオフセットフィールドを含み、
前記デバイスが、前記ＳＲＳ又はＣＳＩが、前記動的再構成命令でシグナリングされる新規のＴＤＤ  ＵＬ／ＤＬ構成の有効なＵＬサブフレームでサウンディングされるように、前記デルタオフセットフィールドに基づいてＳＲＳサブフレームオフセットを調節することを更に含む、デバイス。
【請求項２２】
請求項１７に記載のデバイスであって、
前記プロセッサが、
サウンディング基準信号（ＳＲＳ）又はチャネル状態情報（ＣＳＩ）伝送が、前記動的再構成命令によってＤＬサブフレームとして再構成されているサブフレームにおいて送信されるように構成されていることを判定するように、及び、
前記再構成されたＤＬサブフレームでの前記ＳＲＳ又はＣＳＩの前記伝送を防止するように、
構成される、デバイス。
【発明の詳細な説明】
【技術分野】
【０００１】
本願は、全般的に、ワイヤレス電話等のワイヤレス通信に関し、特に、時分割複信（ＴＤＤ）ワイヤレス通信システムに関する。
【背景技術】
【０００２】
ＴＤＤワイヤレス通信システムは、単一の搬送周波数でデータを送信及び受信する。アップリンク（ＵＬ）伝送及びダウンリンク（ＤＬ）伝送が固定時間間隔内で時間スロットによって多重化される。ＤＬ及びＵＬトラフィックレートにおける非対称性の程度に依存して、異なるＵＬ／ＤＬ比が選択され得る。マクロセルの従来の同種（ｈｏｍｏｇｅｎｅｏｕｓ）配備では、トラフィックパターンは相対的に準静的であり、ＵＬ／ＤＬ時間割当てを定義するＴＤＤ  ＵＬ／ＤＬ構成は、少なくとも数百ミリ秒又は数百秒の時間間隔の間、変更されないままであり得る。しかしながら、マクロセルのオーバーレイがあるか又はない、小型セルから構成されるネットワーク等の異種（ｈｅｔｅｒｏｇｅｎｅｏｕｓ）配備シナリオにおいて、ＵＬ及びＤＬトラフィックパターンは実際には一層動的である。従って、ＵＬ及びＤＬトラフィックパターンにおける高速変化に応答して、ＴＤＤ  ＵＬ／ＤＬ構成を適応的に再構成することによって、システム容量がかなり増大され得る。
【０００３】
従来のＴＤＤシステムの別の特徴は、セル間のＵＬ−ＤＬ及びＤＬ−ＵＬ干渉を回避するために、地理的エリア内のセルが、同じＵＬ／ＤＬ構成を用いて構成され得ることである。セル間のＵＬ−ＤＬ干渉が起こると、１つのセルにおけるＵＬ伝送が近隣のセルにおけるＤＬ受信に干渉する。セル間のＤＬ−ＵＬ干渉が起こると、１つのセルでのＤＬ伝送が異なるセルでのＵＬ受信に干渉する。このようなセル間干渉は、近隣セルが同じ搬送周波数で動作しているとき、及び、近隣セルが、異なるが近接する搬送周波数で動作しているときの両方の場合に起こり得る。１つのセルにおけるＵＬ／ＤＬ構成が、セル内トラフィックパターンに基づいて適応的に再構成されると、この変更が深刻な同一チャネル干渉を起こし、更には近隣セルへの近接チャネル干渉も起こし得る。
【発明の概要】
【０００４】
説明される例において、シグナリング機構が、３ＧＰＰ  ＴＤＤロングタームエボリューション（ＴＤ−ＬＴＥ）システム等のＴＤＤワイヤレス通信システムでの、ユーザ機器（ＵＥ）のための基地局によるＵＬ／ＤＬリソース区画化の動的再構成を可能にする。ＵＬ／ＤＬリソース区画化の動的再構成はまた、ＴＤＤ  ＵＬ／ＤＬ構成の動的再構成を用いる他の任意のＴＤＤワイヤレスシステムに適用され得る。
【図面の簡単な説明】
【０００５】
【図１】一実施形態に従ったＵＬ／ＤＬリソース区画化の動的再構成を用い得る、ＴＤ−ＬＴＥシステム等のＴＤＤワイヤレスシステムのブロック図である。
【０００６】
【図２】一実施形態に従った、ＬＴＥシステムにおいて用いられ得る、異なるＴＤＤ  ＵＬ／ＤＬ構成を示す表である。
【０００７】
【図３】一実施形態に従った、ＵＬ／ＤＬ再構成信号及びアクティベーション時間の受け取りを示す。
【０００８】
【図４】ＴＤＤワイヤレス通信システムにおける、ＵＬ／ＤＬリソース区画化の動的再構成を示すフローチャートである。
【０００９】
【図５】有効なＣＳＩ基準リソースを判定するための手順を図示するフローチャートである。
【００１０】
【図６】図１に示されるようなネットワークシステムにおいて動作する、モバイルＵＥ及びｅＮＢの内部詳細を示すブロック図である。
【発明を実施するための形態】
【００１１】
図１は、一実施形態に従ったＵＬ／ＤＬリソース区画化の動的再構成を用い得る、ＴＤ−ＬＴＥシステム等のＴＤＤワイヤレスシステム１００のブロック図である。ＬＴＥシステムにおけるエボルブドＮｏｄｅＢ（ｅＮＢ）等の基地局１０１は、マクロセルカバレッジエリア１０２を受け持ち、マクロセルカバレッジエリア１０２はセル１０３ａ〜ｃに更に分割される。なお、電気通信ネットワークは、必然的に一層多くのマクロ基地局を含むが、ここでは説明を簡素化するために１つのみが示されていることを理解されたい。ＴＤＤワイヤレスシステムが、また、マイクロセル又はピコセル１１０ａ／ｂ等の小型セルを含み得、それらは低電力基地局１１１ａ／ｂによって制御される。モバイル電話ハンドセット等のユーザ機器（ＵＥ）１０４〜１０９が、基地局１０１及び１１１ａ／ｂからＤＬ伝送を受信し、基地局１０１及び／又は基地局１１１ａ／ｂにＵＬ伝送を送信する。ＵＥは、現在の標準又はプロトコルバージョン（例えば、ＬＴＥリリース１２）に準拠する現在のデバイス１０８〜１０９を含み得、一方で、他のレガシーデバイス１０４〜１０７が、より古いバージョンの標準又はプロトコル（例えば、ＬＴＥリリース８／９又は１０）に準拠し得る。各基地局１０１、１１１ａ／ｂが、システム情報ブロックタイプ１のブロードキャスト情報を用いて、その制御下のセルに配備されたＵＥによって用いられるべきセル特定ＵＬ／ＤＬ構成をシグナリングし得る。図１に示す実施形態において、基地局１１１ａ／ｂによって受け持たれるユーザ機器に対して動的ＴＤＤが構成され得る。
【００１２】
図２は、一実施形態に従った、ＬＴＥシステムで用いられ得る異なるＴＤＤ  ＵＬ／ＤＬ構成を示す表である。列２０１は、７個（０〜６）の異なるＵＬ／ＤＬ構成に番号を付している。列２０２は、各ＵＬ／ＤＬ構成のためのＤＬ−ＵＬスイッチ−ポイント周期性を識別する。列２０３は、各構成のためのサブフレームタイプを識別する。無線フレームの各サブフレームについて、「Ｄ」はダウンリンク伝送のために確保されるサブフレームを示し、「Ｕ」はアップリンク伝送のために確保されるサブフレームを示し、「Ｓ」は特別なサブフレームを示す。特別なサブフレームは、ダウンリンクパイロット時間スロット（ＤｗＰＴＳ）、ガード期間（ＧＰ）、及びアップリンクパイロット時間スロット（ＵｐＰＴＳ）の３個の異なるフィールドを有する。ＤｗＰＴＳ部分はダウンリンクデータ伝送のために用いられ得、ＵｐＰＴＳ部分はアップリンクチャネルをサウンディング（ｓｏｕｎｄｉｎｇ）するために、又はランダムアクセスプリアンブルを送信するために用いられ得る。特別なサブフレームのＧＰ部分は、ＤＬ受信とＵＬ送信との間のスイッチング、並びに、時分割−同期符号分割多元アクセス（ＴＤ−ＳＣＤＭＡ）等の他のＴＤＤシステムとの共存を可能にする。網掛けされた列２０４〜２０７は、ＵＬ／ＤＬ構成の各々について、そのサブフレームに同じサブフレームタイプが存在することを示す。全ての可能なＵＬ／ＤＬ構成にわたって通信方向が変化しないので、本明細書中ではこれらを固定サブフレームと称する。固定サブフレームはサブフレーム０、１、２、及び５を含む。
【００１３】
基地局１０１及び１１１ａ／ｂは、システム情報ブロックタイプ１（ＳＩＢ１）の情報ブロードキャストを用いて、ＵＥにセル特定ＴＤＤ  ＵＬ／ＤＬ構成を通知する。ＵＬ−ＤＬ及びＤＬ−ＵＬのセル間干渉を回避するため、同じ又は近接する搬送周波数で動作する各セル１０３ａ〜ｃ及び１１０ａ／ｂに、同じのＵＬ／ＤＬ構成がアサインされ得る。
【００１４】
ＵＥが適応的ＴＤＤ再構成の能力を有する場合、ＵＥはまた、サービング基地局１０１、１１１ａ／ｂに、適応的ＴＤＤ能力をシグナリングする。ＵＥからの適応的ＴＤＤ能力シグナリングは、或るＬＴＥリリースの全てのＴＤＤ能力を有するＵＥについて適応的ＴＤＤ能力が必須である場合を含む。図１に示す実施形態において、基地局１１１ａは、ＴＤＤ  ＵＬ／ＤＬ構成の動的再構成のために、専用の無線リソース制御（ＲＲＣ）シグナリングによって特定のＵＥを構成することを選択し得る。従って、各適応的ＴＤＤ能力を有するＵＥでは、セル特定ＵＬ／ＤＬ構成は、ＳＩＢ１でブロードキャストされたＵＬ／ＤＬ構成とは異なるＵＥ特定ＵＬ／ＤＬ構成に動的に再構成され得る。また、基地局は、１つのセルにおけるＵＥのグループに対し、同一のＵＬ／ＤＬ構成を構成し得る。
【００１５】
適応的ＴＤＤ動作のために構成されない、又は適応的ＴＤＤ動作が可能ではないＵＥは、ＳＩＢ１でシグナリングされたＵＬ／ＤＬ構成を用いる。従って、下位互換性を維持するため、レガシーＵＥがセル特定基準信号（ＣＲＳ）を期待するＤＬサブフレームは、ＵＬサブフレームに再構成されるべきではない。ＤＬサブフレームのコンフィギュラビリティにおけるこの制約は、ＣＲＳがＤＬサブフレームに、及び特別なサブフレームのＤｗＰＴＳ部分にも存在すべきことを要求するＬＴＥ伝送フォーマットで動作するセルに適用する。また、全てのＤＬサブフレームを含むＤＬサブフレームのサブセットにＣＲＳが存在しない将来のＬＴＥリリースに対して、エボルブド伝送フォーマットが導入され得る。このエボルブド伝送フォーマットは、ニューキャリアタイプとしても知られ、下位互換性がなく、そのため、それ以前のＬＴＥリリースのＵＥによってサポートされない。エボルブド伝送フォーマットで動作するセルの幾つか又は全てのＤＬサブフレームがＣＲＳを含まないので、これらのＤＬサブフレームをＵＬサブフレームに再構成することが可能である。伝送方向が動的に再構成され得るサブフレームのセットは、フレキシブルサブフレームとして知られる。
【００１６】
ＵＬ／ＤＬ構成の動的変動は、サウンディング基準信号（ＳＲＳ）、チャネル状態情報（ＣＳＩ）、ＨＡＲＱ−ＡＣＫフィードバック、及び物理ランダムアクセスチャネル（ＰＲＡＣＨ）でのプリアンブル伝送に関する、準静的に構成されるＵＬ伝送パラメータに影響を与える。動的ＵＬ／ＤＬ再構成を用いるシステムにおいて、次に挙げる課題が検討される。（ａ）動的ＵＬ／ＤＬ再構成がアクティブになる実際の時間は、基地局及びＵＥ両方に対して明確でなければならない。（ｂ）ＳＲＳ伝送では、ＵＬサブフレームからＤＬサブフレームへの変更が、セル特定及びＵＥ特定のＳＲＳサブフレームの定義に影響を与える。（ｃ）準静的に構成されるサブフレームでレポートされるＣＳＩでは、基地局スケジューラは、ＳＩＢ１でシグナリングされたＵＬ／ＤＬ構成に基づいて実際のレポーティング構成を判定し得る。（ｄ）ＰＲＡＣＨリソースを含むＳＩＢ１構成ＵＬリソースがＤＬのために動的に再構成されるとき、ＰＲＡＣＨリソースが、ＵＬ−ＤＬ干渉を回避するように注意深く構成されるべきである。
【００１７】
一実施形態において、ＵＥのためのＴＤＤ  ＵＬ／ＤＬ再構成コマンドは、物理ダウンリンク制御チャネル（ＰＤＣＣＨ）又は拡張物理ダウンリンク制御チャネル（ＥＰＤＣＣＨ）で搬送されるダウンリンク制御情報（ＤＣＩ）フォーマットで動的にシグナリングされ得る。或いは、再構成コマンドは、ＰＤＣＣＨ又はＥＰＤＣＣＨによってスケジューリングされる媒体アクセスチャネル（ＭＡＣ）制御要素に含まれ得る。いずれの場合でも、７個のＴＤＤ  ＵＬ／ＤＬ構成のどれが次の時間周期においてＵＥによって用いられるべきかを示すために、制御情報ペイロードの３ビットフィールドが用いられ得る。
【００１８】
ＵＬ／ＤＬ再構成のシグナリングでは、ＵＥが、ＴＤＤ  ＵＬ／ＤＬ構成の動的再構成のために、ＲＲＣシグナリングによって構成される。図３は、一実施形態に従った、ＵＬ／ＤＬ再構成シグナリング及びアクティベーション時間定義の受信を示す。各動的にシグナリングされるＵＬ／ＤＬ構成は、少なくとも１つの無線フレームに対して有効であると想定される。各無線フレームは１０個のサブフレームＳＦｍを含む。ＵＬ／ＤＬ再構成は、無線フレームのためのサブフレームの全てが完了した後など、無線フレーム境界で起こる。サブフレーム０（ＳＦ０）及び５（ＳＦ５）は、固定ＤＬサブフレームであるため、ＵＥは、ＵＬ／ＤＬ再構成を示す（又は示すことをスケジューリングする）ＰＤＣＣＨ／ＥＰＤＣＣＨについて、少なくともサブフレーム０及び／又は５を監視する。
【００１９】
例えば、無線フレームｎ（ＲＦｎ）３０２において動的再構成シグナリング３０１が検出される場合、後続の無線フレームｎ＋ｋ（ＲＦｎ＋ｋ）３０４の無線フレーム境界３０３で、新規のＵＬ／ＤＬ構成がアクティブになる。例えば、最も高速の再構成間隔では（従って、再構成が直ぐ次の無線フレームで起こるためには）ｋが１であり得、又は、４０ｍｓの再構成間隔ではｋが４であり得る。なお、ＵＬ／ＤＬ再構成が起こるまでの間隔を指定するために、任意の他の値のｋが用いられ得ることを理解されたい。
【００２０】
より一般的には、ＵＬ／ＤＬ再構成は変更通知ウィンドウに続き得、現在の変更通知ウィンドウ内で検出される任意の再構成信号は、シグナリングされたＵＬ／ＤＬ再構成が、次の通知ウィンドウ境界で実施されるべきことを示す。通知ウィンドウ境界が、無線フレームの境界として定義され得る。その場合、２つの整数、即ち、１つが無線フレームのシステムフレーム番号（ＳＦＮ）であり、１つが改変期間である、２つの整数のモジュロ演算がゼロに戻る。
【００２１】
別の実施形態において、専用ＰＨＹシグナリングがＬＴＥシステムにおいて用いられる場合、再構成シグナリングはＤＣＩフォーマットで送信され得る。ＵＥにおける高信頼性受信のために、低率誤り制御符号（ｌｏｗ  ｒａｔｅ  ｅｒｒｏｒ  ｃｏｎｔｒｏｌ  ｃｏｄｅ）の使用を可能にするという理由で、小ペイロードを備えるＤＣＩフォーマットが、ＵＬ／ＤＬ再構成コマンドを送信するために用いられ得る。一実施形態において、ＤＣＩフォーマット１Ａのペイロードサイズは、ＴＤＤ  ＵＬ／ＤＬ構成を再構成するために、再度用いられ得る。ＤＣＩフォーマット１Ｃ等の他の小ペイロードＤＣＩフォーマットも例外ではない。
【００２２】
第１の適応的ＵＬ／ＤＬ再構成技術において、ＵＥは、動的ＵＬ／ＤＬ再構成のための、セル無線ネットワーク一時的識別子（Ｃ−ＲＮＴＩ）によってスクランブルされた巡回冗長検査（ＣＲＣ）を備えるＤＣＩフォーマット１Ａを監視する。物理ダウンリンク共有チャネル（ＰＤＳＣＨ）スケジューリングとＴＤＤ  ＵＬ／ＤＬ再構成とを区別するために、ＤＣＩフォーマット１Ａにおいて１ビットフィールドが指定される。例えば、指定されたビット値が「０」の場合、検出されたＤＣＩフォーマット１ＡがＰＤＳＣＨをスケジューリングするが、ビット値が「１」の場合は、検出されたＤＣＩフォーマット１ＡがＵＬ／ＤＬ再構成を示す。
【００２３】
指定されたビット値が「１」の場合、シグナリングのために定義されるビットフィールドは、新規のＵＬ／ＤＬ構成（３ビットが必要とされる）、及び、ＳＲＳ伝送への変更と新規のＵＬ／ＤＬ構成に従ったＣＳＩレポーティング構成とを指示する随意的なフィールドを含み、１つのＰＤＳＣＨコードワードのアサインメントのコンパクトなスケジューリングのためのフォーマット１Ａの残りの全てのビットは、ゼロに設定される。
【００２４】
第２の適応的ＵＬ／ＤＬ再構成技術において、ＴＤＤ  ＵＬ／ＤＬ再構成をシグナリングするために新規のＤＣＩフォーマットが定義される。新規のＤＣＩフォーマットは、Ｃ−ＲＮＴＩを用いてスクランブルされた再構成ＤＣＩペイロードのＣＲＣ、又は、代替として、再構成ＤＣＩペイロードのＣＲＣをスクランブルするために用いられ得る異なるＲＮＴＩ、新規ＵＬ／ＤＬ構成を示す３ビットフィールド、及び、新規のＵＬ／ＤＬ構成に従った、ＳＲＳ伝送及びＣＳＩレポーティング構成への変更を示す随意的なビットフィールドを含む。ＵＥは、変更通知ウィンドウ内の無線フレームのサブフレーム０及び／又は５においてのみ、ＵＬ／ＤＬ再構成ＤＣＩフォーマットを監視する。
【００２５】
ＳＲＳ伝送では、ＵＥが、ＳＲＳ周期性ＴＳＲＳ及びＳＲＳサブフレームオフセットＴｏｆｆｓｅｔ等の専用パラメータを備える周期的及び／又は非周期的サウンディングのために、ＲＲＣシグナリングによって準静的に構成される。サウンディングが準静的に構成されるので、ＳＩＢ１においてシグナリングされたセル特定ＴＤＤ  ＵＬ／ＤＬ構成に従ったサウンディングサブフレームは、動的再構成の後では、ＤＬサブフレームであるということが起こり得る。従って、ＴＤＤ  ＵＬ／ＤＬ構成の適応的再構成のためにＳＲＳ伝送をサポートするために、新規の機構が有用である。下記の例示的方法は、適応的ＴＤＤ  ＵＬ／ＤＬ構成のためのサウンディングを可能にする。
【００２６】
第１の技術において、ＴＤＤ再構成コマンドはＳＲＳデルタオフセットフィールド（Δｏｆｆｓｅｔ）を含む。このフィールドは、動的にシグナリングされたＴＤＤ  ＵＬ／ＤＬ構成において有効なＵＬサブフレームでＳＲＳがサウンディングされるように、ＳＲＳサブフレームオフセットを調節するために用いられる。適応的再構成の後、ＳＲＳサブフレームオフセットは、Ｔｏｆｆｓｅｔ＿ｄｙｎａｍｉｃ＝（Ｔｏｆｆｓｅｔ＋Δｏｆｆｓｅｔ）ｍｏｄ  Ｘである。ここで、Ｔｏｆｆｓｅｔは準静的に構成されたＳＲＳサブフレームオフセットであり、ＸはＳＲＳデルタオフセットフィールドにおけるビットの数を判定するパラメータであり、Ｔｏｆｆｓｅｔ＿ｄｙｎａｍｉｃは動的に再構成されたＳＲＳサブフレームオフセットである。ＳＲＳデルタオフセットは、如何なるサウンディング（周期的及び／又は非周期的等）でもＵＥのために構成される場合に適用する。
【００２７】
例示のケースにおいて、ＴＤＤ  ＵＬ／ＤＬ構成０がＳＩＢ１においてシグナリングされる。その後、ＴＳＲＳ＝１０及びＴｏｆｆｓｅｔ＝９を用いて、適応的ＴＤＤ再構成の能力を有するＵＥが非周期的サウンディングのために準静的に構成される。無線フレームｎにおいて、ＵＬ／ＤＬ構成は、ＴＤＤ  ＵＬ／ＤＬ構成１に動的に再構成される。ここで、サブフレーム９はＤＬサブフレームである。ＳＲＳオフセットフィールドは、Δｏｆｆｓｅｔ＝９及びＸ＝１０に設定される。従って、Ｔｏｆｆｓｅｔ＿ｄｙｎａｍｉｃ＝８であり、これは、ＵＬ／ＤＬ構成１のために有効なＵＬサブフレームである。
【００２８】
先の例において、ＳＲＳオフセットフィールドが範囲｛０、１、２、・・・、９｝（これは１０個のサブフレーム選択を可能にする）のΔｏｆｆｓｅｔに相当するために、４ビットフィールドが必要とされる。或いは、サブフレーム０及び５が常にＤＬサブフレームであることに注目することによって、これらの固定ＤＬサブフレームを除去することにより、この範囲は減少され得、それによって、３ビットのΔｏｆｆｓｅｔフィールドで充分となろう（即ち、Δｏｆｆｓｅｔが改変された範囲｛１、２、３、４、６、７、８、９｝を表し得る、８個のサブフレーム選択に対して）。このケースにおいて、Δｏｆｆｓｅｔの範囲は、ＳＩＢ１構成のＵＬ／ＤＬ構成に関して、動的にシグナリングされたＵＬ／ＤＬ構成に依存する。
【００２９】
再構成コマンドが、ＵＥのグループのための共通ＤＣＩフォーマット又は共通ＭＡＣ制御要素においてシグナリングされる場合、ＳＲＳデルタオフセットフィールドは、サウンディングのために構成された全てのＵＥに適用し得る。
【００３０】
第２の技術において、ＵＥが、サブフレームｍにおいて周期的ＳＲＳ構成に従ってＳＲＳを送信するように構成される。ここで、サブフレームｍは、ＳＩＢ１シグナリングされたＵＬ／ＤＬ構成に従ったＵＬサブフレームであるが、ＴＤＤ  ＵＬ／ＤＬ構成の動的再構成に続いて、サブフレームｍはＤＬサブフレームになる。従って、サブフレームｍがもはやＵＬサブフレームではないので、ＵＥはＳＲＳを送信することはない。或いは、ＵＥが、非周期的ＳＲＳ伝送のために構成され、無線フレームのサブフレームｍにおいて非周期的ＳＲＳを送信するようにスケジューリングされるが、サブフレームｍが、ＴＤＤ  ＵＬ／ＤＬ構成の動的再構成に続いて、ＤＬサブフレームになる場合、ＵＥは、非周期的ＳＲＳ要求を無視し、もはやＵＬサブフレームではないサブフレームｍにおいてＳＲＳを送信しない。
【００３１】
第３の技術において、ＵＥが無線フレームｎにおいてＰＤＣＣＨを検出する。ＰＤＣＣＨは、無線フレームｎ＋ｋのサブフレームｍのためのＳＲＳ伝送をスケジューリングする肯定ＳＲＳ要求を含む。ここで、ｋ≧１である。ＴＤＤ  ＵＬ／ＤＬ構成は、無線フレームｎ＋ｋのために変更され、それによって、無線フレームｎ＋ｋにおけるサブフレームｍがもはや有効なセル特定ＳＲＳサブフレームではない場合は、ＵＥが、無線フレームｎ＋ｋにおけるサブフレームｍに続く第１の有効なセル特定ＳＲＳサブフレームで非周期的ＳＲＳを送信するようにする。或いは、ＵＥは、無線フレームｎ＋ｋにおけるサブフレームｍに続く第１の有効なＵＥ特定非周期的ＳＲＳサブフレームで非周期的ＳＲＳを送信し得る。
【００３２】
ＵＬサブフレームが、ＬＴＥシステムにおいてＤＬサブフレームに再構成され得、レガシー動作に影響を与えない。これは、例えば、物理アップリンク共有チャネル（ＰＵＳＣＨ）、物理アップリンク制御チャネル（ＰＵＣＣＨ）、ＳＲＳ、又はこれらのサブフレームのためのＰＲＡＣＨをスケジューリングしないことによって達成され得る。しかしながら、ＳＲＳ構成は、ＲＲＣシグナリングによってＵＥのために準静的に構成されるので、セル特定ＳＲＳサブフレームの、ＤＬサブフレームへの動的再構成がＵＬ−ＤＬ干渉を起こし得る。その結果、動的ＴＤＤ  ＵＬ／ＤＬ再構成のために構成されていないＵＥが、ＳＲＳを送信し得、ＤＬにおいて受信する他のＵＥに干渉を起こし得る。この状況では、下記の干渉回避機構が用いられ得る。ＲＲＣシグナリングによって、セル特定ＳＲＳサブフレームとして、準静的に構成されるサブフレームにおいてＰＤＳＣＨ及び／又はＥＰＤＣＣＨが送信される場合、ＰＤＳＣＨ／ＥＰＤＣＣＨはサブフレームのＳＲＳシンボルのあたりにレートマッチングされる。
【００３３】
ＳＲＳ伝送問題に類似する問題が、周期的ＣＳＩレポーティングについても発生し得る。これらの問題は、ＵＥが、周期的ＣＳＩレポーティング構成を用いて、ＲＲＣシグナリングによって準静的に構成されるために起こり得る。ＵＥは、少なくとも２個のサブフレームセットを備えて構成され得る。一つは、固定サブフレームのＣＳＩをレポートするためであり、他方は、フレキシブルサブフレームのＣＳＩをレポートするためである。
【００３４】
ＣＳＩ基準リソースは、ＣＳＩが測定される、時間ドメイン及び周波数ドメインリソースの組み合わせである。ＤＬに動的に再構成され得るサブフレームのセットでは、ＣＳＩ基準リソースは、現在アクティブで動的にシグナリングされたＵＬ／ＤＬ構成に従ったＤＬサブフレームにおいてＣＳＩ基準リソースが発生する場合にのみ有効である。特別なサブフレーム構成が、ＤｗＰＴＳ領域において少なくとも４個の直交周波数分割多重（ＯＦＤＭ）シンボルを含んでいる場合、現在アクティブで動的にシグナリングされたＵＬ／ＤＬ構成に従った特別なサブフレームに含まれるＣＳＩ基準リソースをサポートすることも可能である。
【００３５】
ＣＳＩがＵＥから基地局に送信されるサブフレームに関する第１の技術において、ＣＳＩがレポートされるべきサブフレームがＤＬサブフレームとして動的に再構成されている場合に、動的にシグナリングされたＴＤＤ再構成コマンドは、ＣＳＩオフセットフィールドを含む。ＵＬ／ＤＬ再構成コマンドにキャプチャされるべき最小限の情報は、ＣＱＩサブフレームオフセットＮＯＦＦＳＥＴ，ＣＱＩを調節するデルタサブフレームオフセットである。
【００３６】
第２の技術において、ＵＥは、動的にシグナリングされたＵＬ／ＤＬ構成でＵＬ伝送のために構成されたサブフレームにおいてのみＣＳＩを送信する。従って、ＳＩＢ１  ＵＬ／ＤＬ構成に従ったＵＬサブフレームがＤＬサブフレームに適応的に再構成され、ＵＥが、この同じサブフレームにおいて周期的ＣＳＩレポートを送信するように準静的に構成される場合、ＵＥは周期的ＣＳＩレポートを送信しない。
【００３７】
第３の技術において、ＵＥが、ＴＤＤ  ＵＬ／ＤＬ構成の高速適応のために構成されるとき、ＵＥは、準静的に構成された周期的ＣＳＩレポーティング構成に従った周期的ＣＳＩレポートを送信しない。ＵＥは、任意の構成されたＰＵＣＣＨフォーマット２リソースを含む周期的ＣＳＩレポーティング構成をクリアする。代替実施形態において、ネットワークがＴＤＤ  ＵＬ／ＤＬ構成の高速適応をディセーブルする場合、ＵＥは、周期的ＣＳＩレポーティング構成をディセーブルし、ＣＳＩレポーティング構成をリアクティベートする。
【００３８】
非周期的ＣＳＩレポーティング構成は、このＵＥに対し有効のままである。例えば、ＵＥが、無線フレームｎ＋１のサブフレームｍに対し肯定ＣＳＩ要求を含む無線フレームｎのサブフレームｋにおいてＰＤＣＣＨを検出する場合、及びＴＤＤ  ＵＬ／ＤＬ構成が無線フレームｎ＋１のために変更され、それによって、無線フレームｎ＋１のサブフレームｍがもはやＵＬサブフレームではない場合、ＵＥは、無線フレームｎ＋１のサブフレームｍに続く第１のＵＬサブフレームでＣＳＩレポートを送信する。
【００３９】
図４は、ＴＤＤワイヤレス通信システムにおけるＵＬ／ＤＬ構成の動的再構成を示すフローチャートである。ステップ４０１において、ＵＥで、セル特定ＴＤＤ  ＵＬ／ＤＬ構成が受信される。ステップ４０２において、ＵＥが適応的ＴＤＤ能力を有することを、ＵＥが基地局に通知する。ステップ４０３において、ユーザ機器は、アサインされたＴＤＤ  ＵＬ／ＤＬ構成のための動的再構成命令を検出する。ステップ４０４において、ＵＥは、ＵＥでのＴＤＤ  ＵＬ／ＤＬ構成の再構成が特定の将来の無線フレーム境界においてのみ起こるように制限する。
【００４０】
ステップ４０５において、ＵＥは、ＳＲＳ又はＣＳＩ伝送が、ＤＬサブフレームとして動的再構成命令によって再構成されているサブフレームにおいて送信するように構成されていることを判定する。ステップ４０６において、ＵＥは、再構成されたＤＬサブフレームでのＳＲＳ又はＣＳＩの伝送を防止する。
【００４１】
ＵＥは、動的再構成命令のための１つ又は複数の指定されたサブフレームを監視するように構成され得る。指定されたサブフレームは、ＬＴＥシステムにおけるサブフレーム０及び５等の、ＴＤＤワイヤレス通信システムのための全ての利用可能なＵＬ／ＤＬ構成におけるＤＬサブフレームに対応する。
【００４２】
サブフレームｎでＵＥによって受け取られる動的再構成命令が、後のサブフレームｎ＋ｋにおいて新規のＵＬ／ＤＬ構成を適用するための命令を含み得る。ここで、ｋは整数である。ＵＥは、その後、サブフレームｎ＋ｋにおいてＵＬ／ＤＬ再構成を適用する。或いは、ＵＥは、変更通知ウィンドウの後、ＵＬ／ＤＬ再構成を適用し得る。例えば、ＵＥは現在の変更通知ウィンドウの間、動的再構成命令を検出し得る。ＵＥは、その後、次の変更通知ウィンドウ境界においてＵＬ／ＤＬ再構成を適用する。
【００４３】
ＵＥは、基地局からの動的シグナリングで動的再構成命令を受け取り得る。例えば、ＵＥは、基地局から、ＰＤＣＣＨ／ＥＰＤＣＣＨで搬送されるＤＣＩフォーマットを監視し得る。ＵＥは、ＤＣＩにおける１ビットフィールドの設定に基づいて、ＤＣＩがＰＤＳＣＨをスケジューリングするか、又はＵＬ／ＤＬ再構成を示すかを判定する。ＵＬ／ＤＬ再構成が示されるとき、ＤＣＩフォーマットは新規のＵＬ／ＤＬ構成、ＳＲＳ伝送への変更、及び新規のＵＬ／ＤＬ構成に従ったＣＳＩレポーティング構成を含む。
【００４４】
動的再構成命令は、ＳＲＳ及び／又はＣＳＩデルタオフセットフィールドを含み得る。ＵＥは、ＳＲＳ又はＣＳＩが、動的再構成命令においてシグナリングされる新規のＴＤＤ  ＵＬ／ＤＬ構成における有効なＵＬサブフレームで送信されるように、デルタオフセットフィールドに基づいてＳＲＳサブフレームオフセットを調節する。ＳＲＳデルタオフセットフィールド値は、全ての利用可能なＵＬ／ＤＬ構成においてＤＬサブフレームとして固定された任意のサブフレームを無視することによって選択され得る。
【００４５】
ＵＥは、後の無線フレームの指定されるサブフレームでＳＲＳ伝送をスケジュールするという要求を含むＰＤＣＣＨを検出し得る。ＵＥは、後の無線フレームの指定されたサブフレームが、ＵＬ／ＤＬ再構成に起因し、もはや有効なセル特定ＳＲＳサブフレームではないことを判定する。ＵＥは、その後、後の無線フレームの指定されたサブフレームに続く第１の有効なセル特定ＳＲＳサブフレームで、又は、後の無線フレームの指定されたサブフレームに続く第１の有効なＵＥ特定非周期的ＳＲＳサブフレームで、ＳＲＳを送信し得る。
【００４６】
図５は、有効なＣＳＩ基準リソースを判定するための手順を示すフローチャートである。ステップ５０１において、ＵＥは、ＲＲＣシグナリングによってＣＳＩレポーティング構成を受信する。ステップ５０２において、ＵＥは、無線フレームのセットのためにアサインされるＵＬ／ＤＬ構成のための動的再構成命令を検出する。ステップ５０３において、ＵＥは、後のサブフレームＮ＋Ｋのための非周期的ＣＳＩ要求を含むサブフレームＮにおいて、ダウンリンク制御情報を検出する。
【００４７】
ステップ５０４において、ＵＥは、ＣＳＩ基準リソースがＤＬサブフレームであるか、又は動的再構成命令において受け取られたＵＬ／ＤＬ構成の特別なサブフレームであるかを判定する。ＣＳＩ基準リソースがＤＬサブフレーム又は特別なサブフレームである場合、ＵＥは、基準リソースにおいてＣＳＩ測定を実施し、続いて、ステップ５０５において、サブフレームＮ＋Ｋで、ＣＳＩレポートを送信する。そうではなく、ＣＳＩ基準が動的再構成命令において受け取られたＵＬ／ＤＬ構成におけるＵＬサブフレームである場合、ＵＥは、ステップ５０６において示されるように、ＣＳＩ測定を実施しない。
【００４８】
図６は、図１に示されるようなネットワークシステムにおいて動作する、モバイルＵＥ６０１及びｅＮＢ６０２の内部詳細を図示するブロック図である。モバイルＵＥ６０１は、サーバー、デスクトップコンピュータ、ラップトップコンピュータ、携帯電話、パーソナルデジタルアシスタント（ＰＤＡ）、スマートホン、又は他の電子デバイス等の種々のデバイスの任意のものを表し得る。幾つかの実施形態において、電子モバイルＵＥ６０１は、ＬＴＥ又はエボルブドユニバーサル地上無線アクセス（Ｅ−ＵＴＲＡ）プロトコルに基づいて、ｅＮＢ６０２と通信する。或いは、別の、現在既知の又は今後開発される通信プロトコルが用いられ得る。
【００４９】
モバイルＵＥ６０１は、メモリ６０４及びトランシーバ６０５に結合されるプロセッサ６０３を含む。メモリ６０４は、プロセッサ６０３による実行のための（ソフトウェア）アプリケーション６０６をストアする。こういったアプリケーションは、個人又は組織に有用な、任意の既知の又は将来のアプリケーションを含み得る。これらのアプリケーションは、オペレーションシステム（ＯＳ）、デバイスドライバ、データベース、マルチメディアツール、プレゼンテーションツール、インターネットブラウザ、イーメイラー、ボイスオーバーインターネットプロトコル（ＶＯＩＰ）ツール、ファイルブラウザ、ファイアウォール、インスタントメッセージング、ファイナンスツール、ゲーム、ワードプロセッサ、又はその他のカテゴリに分類され得る。アプリケーションの厳密な種類に拘らず、アプリケーションの少なくとも幾つかは、モバイルＵＥ６０１に、ＵＬ信号をｅＮＢ（基地局）６０２にトランシーバ６０５を介して周期的に又は連続的に送信するように、指示し得る。
【００５０】
トランシーバ６０５はアップリンクロジックを含み、アップリンクロジックはトランシーバの動作を制御する命令の実行によって実装され得る。これらの命令の幾つかは、メモリ６０４にストアされ得、プロセッサ６０３によって必要とされるとき実行され得る。当業者であれば理解され得るように、アップリンクロジックの構成要素は、トランシーバ６０５の物理（ＰＨＹ）レイヤ、及び／又は媒体アクセス制御（ＭＡＣ）レイヤを含み得る。トランシーバ６０５は、１つ又は複数のレシーバ６０７、及び１つ又は複数のトランスミッタ６０８を含む。
【００５１】
プロセッサ６０３が、種々の入力／出力デバイス６０９とデータの送信又は受信を行い得る。加入者識別モジュール（ＳＩＭ）カードが、セルラーシステムを介して電話をかけるために用いられる情報をストア及びリトリーブする。音声データを送信及び受信するためのマイクロフォン及びヘッドセットへのワイヤレス接続のためにブルートゥースベースバンドユニットが提供され得る。プロセッサ６０３は、コールプロセスの間、モバイルＵＥ６０１のユーザとの相互作用のためにディスプレイユニットに情報を送り得る。ディスプレイはまた、ネットワークから、ローカルカメラから、又は汎用シリアルバス（ＵＳＢ）コネクタ等の他のソースから受け取るピクチャを表示し得る。プロセッサ６０３はまた、ＲＦトランシーバ６０５を介したセルラーネットワーク又はカメラ等の種々のソースから受け取るビデオストリームをディスプレイに送り得る。
【００５２】
音声データ又は他のアプリケーションデータの送信及び受信の間、トランスミッタ６０７は、それが受け持つｅＮＢと非同期であるか又は非同期になり得る。この場合、トランスミッタ６０７はランダムアクセス信号を送る。この手順の一部として、トランスミッタ６０７は、上記に詳述したように、サービングｅＮＢによって提供される電力閾値を用いることによって、メッセージと称される次のデータ伝送のための好ましいサイズを判定する。この実施形態において、メッセージの好ましいサイズ判定は、メモリ６０４にストアされた命令をプロセッサ６０３によって実行することによって具現化される。他の実施形態において、メッセージサイズ判定は、例えば、別のプロセッサ／メモリユニットによって、ハードワイヤード状態機械によって、又は他の種類の制御ロジックによって具現化され得る。
【００５３】
ｅＮＢ６０２は、メモリ６１１、シンボル処理回路要素６１２、及びトランシーバ６１３にバックプレーンバス６１４を介して結合されるプロセッサ６１０を含む。メモリは、プロセッサ６１０による実行のためのアプリケーション６１５をストアする。こういったアプリケーションは、ワイヤレス通信を管理するために有用な、既知の又は将来の任意のアプリケーションを含み得る。アプリケーション６１５の少なくとも幾つかが、ｅＮＢ６０２に、モバイルＵＥ６０１への又はモバイルＵＥ６０１からの伝送を管理するように指示し得る。
【００５４】
トランシーバ６１３は、アップリンクリソースマネージャを含む。アップリンクリソースマネージャは、ｅＮＢ６０２に、アップリンク物理アップリンク共有チャネル（ＰＵＳＣＨ）リソースをモバイルＵＥ６０１に選択的に割り当てることを可能にする。当業者であれば理解し得るように、アップリンクリソースマネージャの構成要素は、トランシーバ６１３の物理（ＰＨＹ）レイヤ及び／又は媒体アクセス制御（ＭＡＣ）レイヤを含み得る。トランシーバ６１３は、ｅＮＢ６０２の範囲内の種々のＵＥからの伝送を受け取るための少なくとも１つのレシーバ６１５、及びｅＮＢ６０２の範囲内の種々のＵＥへデータ及び制御情報を送信するための少なくとも１つのトランスミッタ６１６を含む。
【００５５】
アップリンクリソースマネージャは、トランシーバ６１３の動作を制御する命令を実行する。これらの命令の幾つかは、メモリ６１１に配置され得、プロセッサ６１０で必要とされるとき実行され得る。リソースマネージャは、ｅＮＢ６０２によって受け持たれる各ＵＥ６０１に割り当てられる伝送リソースを制御し、制御情報をＰＤＣＣＨを介してブロードキャストする。ＵＥ６０１は、ｅＮＢ６０２からＴＴＤ  ＵＬ／ＤＬ構成命令を受け取り得る。
【００５６】
シンボル処理回路要素６１２は、既知の技術を用いて復調を行なう。ランダムアクセス信号がシンボル処理回路要素６１２で復調される。音声データ又は他のアプリケーションデータの送信及び受信の間、レシーバ６１５は、ＵＥ６０１からランダムアクセス信号を受け取り得る。ランダムアクセス信号は、ＵＥ６０１にとって好ましいメッセージサイズを要求するように符号化される。ＵＥ６０１は、ｅＮＢ６０２によって提供されるメッセージ閾値を用いることによって、好ましいメッセージサイズを判定する。
【００５７】
本発明の特許請求の範囲内で、説明された実施形態に変更が成され得、また他の実施形態が可能である。
【図１】
2019126078.tif 000003
【図２】
2019126078.tif 000004
【図３】
2019126078.tif 000005
【図４】
2019126078.tif 000006
【図５】
2019126078.tif 000007
【図６】
2019126078.tif 000008
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
方法であって、
ユーザ機器（ＵＥ）で、システム情報ブロックタイプ１を介して時分割複信（ＴＤＤ）アップリンク（ＵＬ）／ダウンリンク（ＤＬ）構成を受け取ることと、
前記ＵＥで、前記ＵＥがＴＤＤ再構成能力を有することをシグナリングすることと、
前記ＵＥで、物理ダウンリンク制御チャネル（ＰＤＣＣＨ）で搬送されるダウンリンク制御情報（ＤＣＩ）フォーマット１Ｃの３ビットフィールドにおいてＴＤＤ  ＵＬ／ＤＬ構成のための動的再構成信号を検出することと、
前記ＵＥで、前記検出された動的再構成信号に対応する新規のＴＤＤ  ＵＬ／ＤＬ構成に前記ＴＤＤ  ＵＬ／ＤＬ構成を再構成することと、
前記ＵＥで、前記ＵＥが、サブフレームにおいて周期的サウンディング基準信号（ＳＲＳ）構成に従ってＳＲＳを送信するように構成されるが、前記ＴＤＤ  ＵＬ／ＤＬ構成の動的再構成に続いて前記サブフレームが今やＤＬサブフレームである場合に、ＳＲＳを送信しないことと、
を含む、方法。
【請求項２】
請求項１に記載の方法であって、
前記動的再構成信号に対して１つ又は複数の指定されるサブフレームを監視することを更に含み、前記指定されたサブフレームが、ＴＤＤワイヤレス通信システムのためのすべての利用可能なＵＬ／ＤＬ構成に共通であるＤＬサブフレームに対応する、方法。
【請求項３】
請求項１に記載の方法であって、
サブフレームｎにおいて受け取られる動的再構成信号が、サブフレームｎ＋ｋにおいて新規のＴＤＤ  ＵＬ／ＤＬ構成を適用するための命令を含み、ここでｋが整数である、方法。
【請求項４】
請求項１に記載の方法であって、
変更通知ウィンドウの後にＵＬ／ＤＬ再構成を適用することを更に含む、方法。
【請求項５】
請求項１に記載の方法であって、
現在の変更通知ウィンドウの間に前記動的再構成信号を検出することと、
次の変更通知ウィンドウ境界で、ＵＬ／ＤＬ再構成を適用することと、
を更に含む、方法。
【請求項６】
１つ又はそれ以上のプロセッサ回路を含むユーザ機器（ＵＥ）デバイスであって、
前記プロセッサ回路が、
システム情報ブロックタイプ１を介して時分割複信（ＴＤＤ）アップリンク（ＵＬ）／ダウンリンク（ＤＬ）構成を受け取り、
前記ＵＥがＴＤＤ  ＵＬ／ＤＬ再構成能力を有することをシグナリングし、
物理ダウンリンク制御チャネル（ＰＤＣＣＨ）において搬送されるダウンリンク制御情報（ＤＣＩ）フォーマット１Ｃの３ビットフィールドにおいてＴＤＤ  ＵＬ／ＤＬ構成のための動的再構成信号を検出し、
前記ＴＤＤ  ＵＬ／ＤＬ構成を前記検出された動的再構成信号に対応する新規のＴＤＤ  ＵＬ／ＤＬ構成に再構成し、
前記ＵＥが、サブフレームにおいて周期的サウンディング基準信号（ＳＲＳ）構成に従ってＳＲＳを送信するように構成されるが、前記ＴＤＤ  ＵＬ／ＤＬ構成の再構成に続いて前記サブフレームが今やＤＬサブフレームである場合に、ＳＲＳを送信しない、
ように構成される、ＵＥデバイス。
【請求項７】
請求項６に記載のＵＥデバイスであって、
前記プロセッサ回路が、前記動的再構成信号に対して１つ又はそれ以上の指定されるサブフレームを監視するように更に構成され、前記指定されるサブフレームが、ＴＤＤワイヤレス通信システムのための全ての利用可能なＵＬ／ＤＬ構成に共通であるＤＬサブフレームに対応する、ＵＥデバイス。
【請求項８】
請求項６に記載のＵＥデバイスであって、
サブフレームｎにおいて受け取られる動的再構成信号が、サブフレームｎ＋ｋにおいて新規のＴＤＤ  ＵＬ／ＤＬ構成を適用するための命令を含み、ｋが整数である、ＵＥデバイス。
【請求項９】
請求項６に記載のＵＥデバイスであって、
前記プロセッサ回路が、変更通知ウィンドウの後にＵＬ／ＤＬ再構成を適用するように更に構成される、ＵＥデバイス。
【請求項１０】
請求項６に記載のＵＥデバイスであって、
前記プロセッサ回路が、
現在の変更通知ウィンドウの間に前記動的再構成信号を検出し、
次の変更通知ウィンドウの境界でＵＬ／ＤＬ再構成を適用する、
ように更に構成される、ＵＥデバイス。
【請求項１１】
方法であって、
ユーザ機器（ＵＥ）で、システム情報ブロックタイプ１を介して時分割複信（ＴＤＤ）アップリンク（ＵＬ）／ダウンリンク（ＤＬ）構成を受け取ることと、
前記ＵＥで、前記ＵＥがＴＤＤ再構成能力を有することをシグナリングすることと、
前記ＵＥで、物理ダウンリンク制御チャネル（ＰＤＣＣＨ）で搬送されるダウンリンク制御情報（ＤＣＩ）フォーマット１Ｃの３ビットフィールドにおいてＴＤＤ  ＵＬ／ＤＬ構成のための動的再構成信号を検出することと、
前記ＵＥで、前記検出された動的再構成信号に対応する新規のＴＤＤ  ＵＬ／ＤＬ構成に前記ＴＤＤ  ＵＬ／ＤＬ構成を再構成することと、
前記ＵＥで、前記新規のＴＤＤ  ＵＬ／ＤＬ構成によりＤＬサブフレームであるとして示されるサブフレームにおいてサウンディング基準信号（ＳＲＳ）を送信しないことと、
を含む、方法。
【請求項１２】
請求項１１に記載の方法であって、
前記動的再構成信号に対して１つ又は複数の指定されるサブフレームを監視することを更に含み、前記指定されたサブフレームが、ＴＤＤワイヤレス通信システムのためのすべての利用可能なＵＬ／ＤＬ構成に共通であるＤＬサブフレームに対応する、方法。
【請求項１３】
請求項１１に記載の方法であって、
サブフレームｎにおいて受け取られる動的再構成信号が、サブフレームｎ＋ｋにおいて新規のＴＤＤ  ＵＬ／ＤＬ構成を適用するための命令を含み、ｋが整数である、方法。
【請求項１４】
請求項１１に記載の方法であって、
変更通知ウィンドウの後にＵＬ／ＤＬ再構成を適用することを更に含む、方法。
【請求項１５】
請求項１１に記載の方法であって、
現在の変更通知ウィンドウの間に前記動的再構成信号を検出することと、
次の変更通知ウィンドウ境界で、ＵＬ／ＤＬ再構成を適用することと、
を更に含む、方法。
【請求項１６】
１つ又はそれ以上のプロセッサ回路を含むユーザ機器（ＵＥ）デバイスであって、
前記プロセッサ回路が、
システム情報ブロックタイプ１を介して時分割複信（ＴＤＤ）アップリンク（ＵＬ）／ダウンリンク（ＤＬ）構成を受け取り、
前記ＵＥがＴＤＤ  ＵＬ／ＤＬ再構成能力を有することをシグナリングし、
物理ダウンリンク制御チャネル（ＰＤＣＣＨ）において搬送されるダウンリンク制御情報（ＤＣＩ）フォーマット１Ｃの３ビットフィールドにおいてＴＤＤ  ＵＬ／ＤＬ構成のための動的再構成信号を検出し、
前記ＴＤＤ  ＵＬ／ＤＬ構成を前記検出された動的再構成信号に対応する新規のＴＤＤ  ＵＬ／ＤＬ構成に再構成し、
前記新規のＴＤＤ  ＵＬ／ＤＬ構成によりＤＬサブフレームであるとして示されるサブフレームにおいてサウンディング基準信号（ＳＲＳ）を送信しない、
ように構成される、ＵＥデバイス。
【請求項１７】
請求項１６に記載のＵＥデバイスであって、
前記プロセッサ回路が、前記動的再構成信号に対して１つ又はそれ以上の指定されるサブフレームを監視するように更に構成され、前記指定されるサブフレームが、ＴＤＤワイヤレス通信システムのための全ての利用可能なＵＬ／ＤＬ構成に共通であるＤＬサブフレームに対応する、ＵＥデバイス。
【請求項１８】
請求項１６に記載のＵＥデバイスであって、
サブフレームｎにおいて受け取られる動的再構成信号が、サブフレームｎ＋ｋにおいて新規のＴＤＤ  ＵＬ／ＤＬ構成を適用するための命令を含み、ｋが整数である、ＵＥデバイス。
【請求項１９】
請求項１６に記載のＵＥデバイスであって、
前記プロセッサ回路が、変更通知ウィンドウの後にＵＬ／ＤＬ再構成を適用するように更に構成される、ＵＥデバイス。
【請求項２０】
請求項１６に記載のＵＥデバイスであって、
前記プロセッサ回路が、
現在の変更通知ウィンドウの間に前記動的再構成信号を検出し、
次の変更通知ウィンドウの境界でＵＬ／ＤＬ再構成を適用する、
ように更に構成される、ＵＥデバイス。